(57)【要約】【課題】  クロスの端と扉枠との間にクロスの欠落した部分を発生させないとともに、扉枠の強度ないし剛性を確保しつつ扉枠の見掛け上の厚さを小さくする。【解決手段】  扉枠１は、その前面９と外側面１３との角および枠の後面１１と外側面１３との角をそれぞれ断面略Ｌ字形に切り欠くことによりそれぞれ前側切欠き残部２０および後側切欠き残部２４を形成するとともに、前側切欠き残部２０の背面側および後側切欠き残部２４の背面側を、それぞれその先端に行くに従って厚さが小さくなるように傾斜させる。また、この扉枠１の取付構造は、壁３１の凹部３９に扉枠の突起２７が挿入され、背面２１、２５と壁下地材の開口部側端面３３との間のＶ字状の溝４８に、クロス４７の端が押し込み固定された状態でクロス４７が壁下地材３１の表面に貼られてなる。【選択図】              図２
2008038419.tif 000002
【特許請求の範囲】
【請求項１】
扉、引戸などの枠であって、該枠の前面と外側面との角および該枠の後面と外側面との角をそれぞれ断面略Ｌ字形に切り欠くことによりそれぞれ前側切欠き残部および後側切欠き残部を形成するとともに、前記前側切欠き残部の背面側をその先端に行くに従って厚さが小さくなるように傾斜させること、および／または前記後側切欠き残部の背面側をその先端に行くに従って厚さが小さくなるように傾斜させることを特徴とする枠。
【請求項２】
柱材の前後面に壁仕上材を設けた壁の開口部内面に、前記柱材より内面側に前記壁仕上材が突出するように形成され、これら柱材と壁仕上材により形成される凹部に、請求項１に記載の枠の切り欠きによって形成される突起が挿入され、前記前側切欠き残部の背面と壁仕上材の開口部側端面との間および／または後側切欠き残部の背面と壁仕上材の開口部側端面との間の略Ｖ字状の溝に、前記壁仕上材の表面に貼る化粧材の端が押し込み固定された状態で該化粧材が該壁仕上材の表面に貼られてなることを特徴とする枠取付構造。
【発明の詳細な説明】
【技術分野】
【０００１】
本発明は、建物の扉、引戸などの枠、クローゼット枠、あるいは家具、什器の扉、引戸などの枠およびその取付構造に関する。
【背景技術】
【０００２】
枠ないし枠取付構造としては、実開平３−７１０９３号公報に開示されたものが知られている。これは、石膏ボードを壁仕上材として用いた壁の開口部に取付ける枠ないし枠取付構造であって、枠の縦部材の外周面に該当する背面の前後両側（上記公報では左右両側）に、縦部材の長手方向に沿った略Ｌ字状断面の切欠き部を設け、この切欠き部に装着して石膏ボードの突出した側端部を受け入れる溝を形成する略Ｌ字状断面の介装部材を備えるものである。
【特許文献１】実開平３−７１０９３号公報
【発明の開示】
【発明が解決しようとする課題】
【０００３】
しかしながら、上記石膏ボードにクロスなどの化粧材を貼る場合、化粧材の端は上記介装部材の端に一致させて貼ることになる。化粧材をこのように貼ると、化粧材と石膏ボードとの間の伸縮差により化粧材の端と介装部材の端との間に化粧材の欠落した部分が発生するおそれがあった。また、この枠を利用した枠取付構造は、枠の厚さが大きく強度ないし剛性の面からは好ましいが、シンプルで斬新な意匠が望まれる場合には対応が難しかった。
【０００４】
本発明の課題は、壁の表面に貼る化粧材の端と枠との間に化粧材の欠落した部分が発生しないとともに、枠の強度ないし剛性を確保しつつ枠の見掛け上の厚さを小さくすることができることである。
【課題を解決するための手段】
【０００５】
上記課題を解決するため本発明は、扉、引戸などの枠であって、該枠の前面と外側面との角および該枠の後面と外側面との角をそれぞれ断面略Ｌ字形に切り欠くことによりそれぞれ前側切欠き残部および後側切欠き残部を形成するとともに、前記前側切欠き残部の背面側をその先端に行くに従って厚さが小さくなるように傾斜させること、および／または前記後側切欠き残部の背面側をその先端に行くに従って厚さが小さくなるように傾斜させることを特徴とする枠である。
【０００６】
このようにすることにより、壁の前側と後側に設けた壁仕上材の間の凹部に枠の切り欠きによって形成される突起を挿入すれば、前側切欠き残部の背面と壁の枠側端面との間および／または後側切欠き残部の背面と壁の枠側端面との間に略Ｖ字状の溝が形成される。この壁の表面に化粧材を貼る場合、化粧材の端をこの略Ｖ字状の溝に押し込めて固定して壁の表面に化粧材を貼るようにすれば、化粧材を貼る壁の壁仕上材と化粧材との間に温度、吸湿などによる伸縮差が生じても化粧材の端が外れにくく、化粧材の端と枠との間に化粧材の欠落した部分が発生しない。
【０００７】
さらに、切り欠きによって形成される突起を壁の凹部に挿入することにより、前側切欠き残部および後側切欠き残部の先端厚さが小さく見え、枠の見掛け上の厚さが小さくシンプルで斬新な意匠に見えるとともに枠としての強度ないし剛性を確保できる。
【０００８】
また、本発明は、柱材の前後面に壁仕上材を設けた壁の開口部内面に、前記柱材より内面側に前記壁仕上材が突出するように形成され、これら柱材と壁仕上材により形成される凹部に、上記枠の切り欠きによって形成される突起が挿入され、前記前側切欠き残部の背面と壁仕上材の開口部側端面との間および／または後側切欠き残部の背面と壁仕上材の開口部側端面との間の略Ｖ字状の溝に、前記壁仕上材の表面に貼る化粧材の端が押し込み固定された状態で該化粧材が該壁仕上材の表面に貼られてなることを特徴とする枠取付構造である。
【０００９】
このようにすることにより、先に記したように、壁仕上材の表面に化粧材を貼ったときに、化粧材の端と枠との間に化粧材の欠落した部分が発生しない。さらに、前側切欠き残部および後側切欠き残部の先端厚さが小さく見え、見掛け上、枠がシンプルで斬新な意匠に見えるとともに枠としての強度ないし剛性を確保できる。
【００１０】
次に本発明を構成する各要件についてさらに詳しく説明する。本発明の枠ないし枠取付構造は、建物の扉、引戸などの建具枠、またはクローゼットの枠、あるいは家具、什器の扉、引戸などの枠およびその取付構造に関するものである。
【００１１】
前側切欠き残部と後側切欠き残部は、それぞれ枠の前面と外側面との角、枠の後面と外側面との角を断面略Ｌ字形に切り欠くことにより形成されるが、鈍角に切り欠いても良い。さらに、前側切欠き残部と後側切欠き残部の背面は平面でも曲面でも良いし、あるいはこれらの複合した面でも可能である。
【００１２】
前側切欠き残部および後側切欠き残部の先端厚さ（見掛け上の枠の厚さ）ｔは、５〜２２ｍｍの範囲とするが、一例としてｔ＝９ｍｍ前後の値を採用しても良い。前側切欠き残部および後側切欠き残部の先端厚さｔが５ｍｍ未満のときは、前側切欠き残部および後側切欠き残部の強度が不足し欠け易くなる。前側切欠き残部および後側切欠き残部の先端厚さｔが２２ｍｍを越えるときは、枠の見掛け上の厚さが大きくなりシンプルで斬新な意匠性を出し難い。
【００１３】
さらに、前側切欠き残部および／または後側切欠き残部の背面は、これら切欠き残部の厚さが先端に行くに従って小さくなるように傾斜させるが、その角度αは枠開口面に垂直かつ上下方向の垂直面に対して３〜２０度、好ましくは７〜１３度の範囲が良い。角度αが３度未満であるとＶ字形の溝の開口幅が小さく化粧材の押し込みが困難になる。角度αが２０度を越えると、Ｖ字形の溝の開口幅が大き過ぎて化粧材の端が抜け易い。また、壁面の先端と枠との間の隙間が大きくなり斬新な意匠とすることが困難である。
【００１４】
壁仕上材の表面に貼る化粧材は、可撓性を有する装飾用材料で壁紙、各種織物の布（クロス）、合成樹脂シートなどである。
【発明の効果】
【００１５】
本発明によれば、壁仕上材の表面に化粧材を貼ったときに、化粧材の端と枠との間に化粧材の欠落した部分が発生しない。
【００１６】
さらに、枠の強度ないし剛性を確保しつつ枠の見掛け上の厚さを小さくすることができ、シンプルで斬新な意匠を与えることができる。
【発明を実施するための最良の形態】
【００１７】
以下、本発明に係る枠およびその取付構造の実施形態を図面とともに詳細に説明する。なお、図１〜５において、同一または同等部分には同一符号を付けて示す。
【実施例１】
【００１８】
図１は、本発明に係る枠取付構造の第１実施形態を示す正面図である。本枠取付構造は、扉枠（枠）１を壁３１に取り付けるものである。扉枠１には扉４９をピボットヒンジまたは蝶番で取り付けることができる。以下の実施形態はピボットヒンジで取り付けた例を説明する。扉枠１は、左縦枠３と右縦枠５および上枠７を有する三方枠（または門形枠）で、バリアフリーのために下枠が無い。扉４９は、片開きで扉枠１の開口部６２に対して水平面内で回転するように取り付けられる。
【００１９】
扉４９は、その左右方向６４の右側の上部および下部において、それぞれ上部ピボットヒンジ５１および下部ピボットヒンジ５３によりにより支持される。上部、下部ピボットヒンジ５１、５３は、その軸が垂直方向に設けられたピン周りの水平面内での回転が可能で、扉４９を扉枠１に取り付けた状態では水平方向および上下方向の移動は規制される。また、扉４９の左側で中間高さ位置寄りには取手５９が設けられる。
【００２０】
床６６は、木質系材料で形成され、合板、木質繊維板（ＭＤＦなど）、木削片板、単板積層板などである。
【００２１】
図２は、図１におけるＡ−Ａ断面図で、扉４９の幅を破断線により縮小し左右方向の寸法は小さく表されている。図２において、扉４９、下部ピボットヒンジ５３および戸当り５５を除いた左右縦枠３、５および壁３１は図の左右で線対称であるので、同じ構造、作用部分には左右どちらかに符号を記して示す。
【００２２】
先ず右側の壁３１に記した符号を用いて壁の構造を説明する。壁３１は、柱材４１の前側および後側に石膏ボードなどの壁仕上材４３が張られる。さらに、柱材４１の枠側には介装材４５が設けられる。
【００２３】
次に、左縦枠３に記した符号を用いて縦枠の構造を説明する。左縦枠３は、前面９と外側面１３との角および後面１１と外側面１３との角をそれぞれ断面略Ｌ字形に切り欠くこと、すなわち前側切欠き１９および後側切欠き２３を形成することにより前側切欠き残部２０および後側切欠き残部２４を形成している。これら切欠き残部２０、２４の背面側は、これら切欠き残部２０、２４の厚さが先端に行くに従って小さくなるように傾斜している。前側切欠き残部２０の先端厚さｔおよび後側切欠き残部２４の先端厚さｔは、たとえば９ｍｍである。因みに、左縦枠３の厚さＴは２５ｍｍである。
【００２４】
また、左縦枠３は、たとえば合板、集成材、ＭＤＦなどの木質材で形成され、表面に化粧シート２９が貼着される。化粧シート２９は、左縦枠３を形成する木質材の少なくとも露出面に設けられ、可撓性を有する材料が選定される。化粧シート２９としては、たとえば天然木材を切削して得られる天然突板や表面に各種模様を印刷した合成樹脂シートなどである。
【００２５】
次に、右縦枠５に記した符号を用いて縦枠と壁との取付構造を説明する。壁３１は、先に記したように、柱材４１の前後面に壁仕上材４３が設けられるが、さらに壁３１の開口部内面に柱材４１より内面側に壁仕上材４３が突出するように前側凸部３５および後側凸部３７が形成される。これら前側凸部３５および後側凸部３７により形成される凹部３９に、右縦枠５の切り欠きによって形成される突起２７が挿入される。
【００２６】
右縦枠５と壁３１は上記のような位置関係となるので、前側切欠き残部の背面２１と壁仕上材の開口部側端面３３との間および後側切欠き残部の背面２５と壁仕上材の開口部側端面３３との間にＶ字状の溝４８が形成される。さらに、壁仕上材４３の表面に貼るクロス（化粧材）４７は、その端が上記Ｖ字形の溝４８に押し込み固定された状態（巻き込み固定された状態）で壁仕上材４３の表面側に貼られる。なお、左縦枠３と壁３１の取付構造についても、上記右縦枠５と壁３１の取付構造と同じであるので、その説明を省略する。
【００２７】
なお、扉４９は、先に記したように、上下部ピボットヒンジ５３、５１（図１に表示）により支持されるが、閉じられた状態で左右縦枠３、５および上枠７（図１）の前後方向６８の中央に設けられる戸当り５５に当接する。左側の戸当り５５および上枠の戸当り５５には緩衝片５７が設けられる。緩衝片５７は、扉４９が閉じられた際に、その衝撃と衝撃音を小さくする。また、図２において扉の取手は省略されている。
【００２８】
図３は、図１におけるＢ−Ｂ断面図である。図３において、壁３１および上枠７は図の左右で線対称であるので、同じ構造、作用部分には左右どちらかに符号を記して示す。上枠７と壁３１の取付構造は、左縦枠３または右縦枠５と壁３１の取付構造と同様に、柱材４１の前後面に壁仕上材４３を設けた壁３１の開口部内面に、柱材４１より内面側に壁仕上材４３が突出するように前側凸部３５および後側凸部３７が形成され、これら柱材４１と壁仕上材の前側凸部３５および後側凸部３７により形成される凹部３９に、上枠７の切り欠きによって形成される突起２７が挿入される。
【００２９】
さらに、前側切欠き残部の背面２１と壁仕上材の開口部側端面３３との間および／または後側切欠き残部の背面２５と壁仕上材の開口部側端面３３との間の略Ｖ字状の溝４８に、壁仕上材４３の表面に貼るクロス４７の端が押し込み固定された状態でクロス４７が壁仕上材４３の表面に貼られている。
【００３０】
なお、第１実施形態の枠取付構造において、扉枠１や壁仕上材４３の取り付けあるいはクロス４７の貼り付けを行う施工順序は、先ず左右縦枠３、５と上枠７からなる三方扉枠１を壁３１の開口部に、介装材４５を介して取り付ける。次に、少なくとも扉枠１に隣接する壁仕上材４３は、扉枠１を取り付けた後に扉枠の前後切欠き１９、２３と柱材４１の前後面に当接させて張り付ける。扉枠１に隣接しない壁仕上材４３の張り付けは、扉枠１を取り付ける前に施工しても良い。この後、壁仕上材４３の表面にクロス４７を貼る。
【００３１】
次に、第１実施形態の扉枠１およびその取付構造の作用について説明する。図２において、前側切欠き残部の背面２１と壁の開口部側端面３３との間および後側切欠き残部の背面２５と壁の開口部側端面３３との間にＶ字状の溝４８が形成されるので、壁３１の表面にクロス（化粧材）４７を貼るときに、クロス４７の端をこのＶ字状の溝４８に押し込めて固定して壁仕上材４３の表面にクロス４７を貼るようにすれば、壁の壁仕上材４３とクロス４７との間に温度、吸湿などによる伸縮差が生じても、クロス４７の端と左右縦枠３、５や上枠７との間にクロス４７の欠落が発生しない。
【００３２】
さらに、枠の突起２７を壁の凹部３９に挿入することにより、切欠き残部２０および切欠き残部２４の各先端厚さｔが小さく見え、見掛け上、扉枠１がシンプルで斬新な意匠に見える。さらに、突起２７を含めた扉枠の厚さＴを必要十分な大きさとすることにより、扉枠１としての強度ないし剛性を確保できる。
【実施例２】
【００３３】
図４は、本発明に係る枠取付構造の第２実施形態を示し、図２に相当する横断面図である。図５は、第２実施形態を示し、図３に相当する縦断面図である。図４においてはこの図の左右方向に、図５においてはこの図の上下方向にそれぞれ破断線により縮小されている。第２実施形態の扉枠２は、左縦枠３、右縦枠５および上枠７の前面９を含む前側切欠き残部２０および後面１１を含む後側切欠き残部２４が、それぞれ壁（壁仕上材）の表面４４から前後方向６８外方に突出している場合、すなわち壁面散りが有る場合である。
【００３４】
本第２実施形態において、散りの寸法ｅは１０ｍｍである。更に、本実施形態の枠取付構造においても、第１実施形態の枠取付構造と同様に、壁の凹部３９に枠の突起２７が挿入され、かつ前側切欠き残部２０と壁仕上材の開口部側端面３３との間および後側切欠き残部２４と壁仕上材の開口部側端面３３との間にＶ字状の溝４８が形成される。
【００３５】
クロス４７を貼るときには、このＶ字状の溝４８にクロス４７の端を押し込めて固定して壁仕上材４３の表面にクロス４７を貼るようにすれば、壁の壁仕上材４３とクロス４７との間に温度、吸湿などによる伸縮差が生じても、クロス４７の端と左右縦枠３、５や上枠７との間にクロス４７の欠落が発生しない。図４、５におけるその他の構造と作用は図１〜３に示した第１実施形態の枠ないし枠取付構造と同じであるので、同じ構造、作用部分には左右どちらかに符号を記して示し、その説明を省略する。
【００３６】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００３７】
本発明の枠および枠取付構造は、建物の扉、引戸などの枠、クローゼット枠、あるいは家具、什器の扉、引戸などの枠およびその取付構造に利用可能である。
【図面の簡単な説明】
【００３８】
【図１】本発明に係る枠取付構造の第１実施形態を示す正面図である。
【図２】図１におけるＡ−Ａ断面図である。
【図３】図１におけるＢ−Ｂ断面図である。
【図４】本発明に係る枠取付構造の第２実施形態を示し、図２に相当する横断面図である。
【図５】第２実施形態を示し、図３に相当する縦断面図である。
【符号の説明】
【００３９】
１  扉枠(枠)
３  左縦枠
５  右縦枠
７  上枠
９  前面
１１  後面
１３  外側面
２０  前側切欠き残部
２１  背面
２４  後側切欠き残部
２５  背面
２７  突起
３１  壁
３３  開口部側端面
３５  前側凸部
３７  後側凸部
３９  凹部
４１  柱材
４３  壁仕上材
４７  クロス（化粧材）
４８  Ｖ字状の溝
６２  開口部
ｔ  枠の厚さ
【図１】
2008038419.tif 000003
【図２】
2008038419.tif 000004
【図３】
2008038419.tif 000005
【図４】
2008038419.tif 000006
【図５】
2008038419.tif 000007